(57)【要約】  ユーザ端末は、複数のキャリアのそれぞれに対応するスケーリングファクタによって、同期信号ブロックに基づく同周波測定の遅延要件を調整する制御部と、前記複数のキャリアのそれぞれにおいて前記同期信号ブロックを受信する受信部と、を有し、前記複数のキャリアの中の特定キャリアは、所定条件を満たす１つのキャリアであり、前記複数のキャリアの中の非特定キャリアのための第１スケーリングファクタは、前記複数のキャリアの数に基づき、前記特定キャリアのための第２スケーリングファクタは、前記キャリアの前記数に基づかない。本開示の一態様によれば、複数のキャリアのそれぞれにおける同周波測定を適切に行うことができる。
2019203324.tif 000002
【特許請求の範囲】
【請求項１】
複数のキャリアのそれぞれに対応するスケーリングファクタによって、同期信号ブロックに基づく同周波測定の遅延要件を調整する制御部と、
前記複数のキャリアのそれぞれにおいて前記同期信号ブロックを受信する受信部と、を有し、
前記複数のキャリアの中の特定キャリアは、所定条件を満たす１つのキャリアであり、
前記複数のキャリアの中の非特定キャリアのための第１スケーリングファクタは、前記複数のキャリアの数に基づき、
前記特定キャリアのための第２スケーリングファクタは、前記キャリアの前記数に基づかないことを特徴とするユーザ端末。
【請求項２】
前記制御部は、メジャメントギャップを用いずに前記同周波測定を行う、請求項１に記載のユーザ端末。
【請求項３】
前記制御部は、前記複数のキャリアのそれぞれに対し、前記同期信号ブロックの測定の周期を示すパラメータを設定され、前記パラメータに基づく値に前記スケーリングファクタを乗ずることによって、前記同周波測定のための測定周期を求めることを特徴とする請求項１又は請求項２に記載のユーザ端末。
【請求項４】
前記制御部は、前記スケーリングファクタによって、前記遅延要件を増加させることを特徴とする請求項１から請求項３のいずれかに記載のユーザ端末。
【請求項５】
前記特定キャリアは、ネットワークによって指定されたキャリアであることを特徴とする請求項１から請求項４のいずれかに記載のユーザ端末。
【請求項６】
複数のキャリアのそれぞれに対応するスケーリングファクタによって、同期信号ブロックに基づく同周波測定の遅延要件を調整するステップと、
前記複数のキャリアのそれぞれにおいて前記同期信号ブロックを受信するステップと、を有し、
前記複数のキャリアの中の特定キャリアは、所定条件を満たす１つのキャリアであり、
前記複数のキャリアの中の非特定キャリアのための第１スケーリングファクタは、前記複数のキャリアの数に基づき、
前記特定キャリアのための第２スケーリングファクタは、前記キャリアの前記数に基づかないことを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）において、ユーザ端末（ＵＥ：User  Equipment）は、同期信号（ＳＳ：Synchronization  Signal）を検出し、ネットワーク（例えば、基地局（ｅＮＢ：eNode  B））との同期をとるとともに、接続するセルを識別する（例えば、セルＩＤ（Identifier）によって識別する）。このような処理はセルサーチとも呼ばれる。同期信号は、例えば、ＰＳＳ（Primary  Synchronization  Signal）及び／又はＳＳＳ（Secondary  Synchronization  Signal）を含む。【０００５】
また、ＵＥは、ブロードキャスト情報（例えば、マスタ情報ブロック（ＭＩＢ：Master  Information  Block）、システム情報ブロック（ＳＩＢ：System  Information  Block）など）を受信して、ネットワークとの通信のための設定情報（システム情報などと呼ばれてもよい）を取得する。【０００６】
ＭＩＢは、ブロードキャストチャネル（ＰＢＣＨ：Physical  Broadcast  Channel）で送信されてもよいし、ＳＩＢは、下りリンク（ＤＬ）共有チャネル（ＰＤＳＣＨ：Physical  Downlink  Shared  Channel）で送信されてもよい。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
将来の無線通信システム（以下、単にＮＲとも表記する）では、同期信号ブロック（ＳＳＢ：Synchronization  Signal  Block）を用いた測定が利用される。ＳＳＢを用いた測定に関するタイミング設定（ＳＭＴＣ：SSB-based  Measurement  Timing  Configuration）が、ＵＥに通知される。ＵＥは、設定されたＳＭＴＣウィンドウ内において、測定対象のＳＳＢに基づく測定を実施する。【０００９】
また、複数のキャリアのそれぞれにおいて同周波測定を行う場合、複数のキャリアの間でＳＭＴＣウィンドウが重複することが考えられる。この場合、同周波測定が適切に行われなければ、通信スループット、周波数利用効率などの劣化が生じるおそれがある。【００１０】
そこで、本開示は、複数のキャリアのそれぞれにおける同周波測定を適切に行うことができるユーザ端末及び無線通信方法を提供することを目的の１つとする。
【課題を解決するための手段】
【００１１】
本開示の一態様に係るユーザ端末は、複数のキャリアのそれぞれに対応するスケーリングファクタによって、同期信号ブロックに基づく同周波測定の遅延要件を調整する制御部と、前記複数のキャリアのそれぞれにおいて前記同期信号ブロックを受信する受信部と、を有し、前記複数のキャリアの中の特定キャリアは、所定条件を満たす１つのキャリアであり、前記複数のキャリアの中の非特定キャリアのための第１スケーリングファクタは、前記複数のキャリアの数に基づき、前記特定キャリアのための第２スケーリングファクタは、前記キャリアの前記数に基づかない。
【発明の効果】
【００１２】
本開示の一態様によれば、複数のキャリアのそれぞれにおける同周波測定を適切に行うことができる。
【図面の簡単な説明】
【００１３】
【図１】図１は、セルサーチャの動作の一例を示す図である。
【図２】図２は、複数のキャリアのそれぞれにおける同周波測定の一例を示す図である。
【図３】図３は、複数のキャリアのそれぞれにおける同周波測定の別の一例を示す図である。
【図４】図４は、一実施形態に係る無線通信システムの概略構成の一例を示す図である。
【図５】図５は、一実施形態に係る無線基地局の全体構成の一例を示す図である。
【図６】図６は、一実施形態に係る無線基地局の機能構成の一例を示す図である。
【図７】図７は、一実施形態に係るユーザ端末の全体構成の一例を示す図である。
【図８】図８は、一実施形態に係るユーザ端末の機能構成の一例を示す図である。
【図９】図９は、一実施形態に係る無線基地局及びユーザ端末のハードウェア構成の一例を示す図である。
【発明を実施するための形態】
【００１４】
既存のＬＴＥシステムにおいて、ＵＥは、接続中のサービングキャリアとは異なる非サービングキャリアにおいて測定を行う異周波測定（inter-frequency  measurement）をサポートする。
【００１５】
ＵＥは、メジャメントギャップ（ＭＧ：Measurement  Gap）において、使用周波数（ＲＦ：Radio  Frequency）をサービングキャリアから非サービングキャリアに切り替え（リチューニングし）、参照信号などを用いて測定した後、使用周波数を非サービングキャリアからサービングキャリアに切り替える。
【００１６】
ここで、ＭＧとは、異周波測定を行うための期間であり、ＵＥは、当該期間において、通信中のキャリアでの送受信を停止して別の周波数のキャリアでの測定を行う。
【００１７】
ＬＴＥにおいて、ＭＧを使って異周波キャリアを測定している間は、ＲＦを切り替えているためサービングセルでの送受信ができない。一方で、それ以外のケース（例えば、同周波測定）ではメジャメントに関連して送受信の制約は生じない。
【００１８】
ＮＲにおいては、以下のメジャメントが検討されている：
（１）ＭＧ不要の周波数内メジャメント（Intra-frequency  measurement  without  MG）、
（２）ＭＧ要の周波数内メジャメント（Intra-frequency  measurement  with  MG）、
（３）周波数間メジャメント（Inter-frequency  measurement）。
【００１９】
上記（１）のＭＧ不要の周波数内メジャメントは、ＲＦリチューニングを必要としない同周波測定とも呼ばれる。上記（２）のＭＧ要の周波数内メジャメントは、ＲＦリチューニングを必要とする同周波測定とも呼ばれる。例えば、アクティブＢＷＰ（BandWidth  Part）の帯域内に測定対象信号が含まれない場合、同周波測定でもＲＦリチューニングが必要なので、上記（２）の測定となる。
【００２０】
ここで、ＢＷＰは、ＮＲにおいて設定されるコンポーネントキャリア（ＣＣ：Component  Carrier）内の、１つ以上の部分的な周波数帯域に該当する。ＢＷＰは、部分周波数帯域、部分帯域などと呼ばれてもよい。
【００２１】
上記（３）の周波数間メジャメントは、異周波測定とも呼ばれる。当該異周波測定は、ＭＧを使うことを想定する。しかしながら、ＵＥがギャップなし測定（gap  less  measurement）のＵＥ能力（UE  capability）を基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）に報告する場合には、ＭＧなしの異周波測定が可能である。
【００２２】
ＮＲにおいて、ＭＧを使って同周波キャリア又は異周波キャリアを測定している間は、ＲＦを切り替えているためサービングセルでの送受信ができない。
【００２３】
ＬＴＥ、ＮＲなどにおいて、同周波測定及び／又は異周波測定に関して、非サービングキャリアの参照信号受信電力（ＲＳＲＰ：Reference  Signal  Received  Power）、受信信号強度（ＲＳＳＩ：Received  Signal  Strength  Indicator）及び参照信号受信品質（ＲＳＲＱ：Reference  Signal  Received  Quality）、ＳＩＮＲ（Signal  to  Interference  plus  Noise  Ratio）、の少なくとも１つが測定されてもよい。
【００２４】
ここで、ＲＳＲＰは、所望信号の受信電力であり、例えば、セル固有参照信号（ＣＲＳ：Cell-specific  Reference  Signal）、チャネル状態情報参照信号（ＣＳＩ−ＲＳ：Channel  State  Information-Reference  Signal）などの少なくとも１つを用いて測定される。ＲＳＳＩは、所望信号の受信電力と、干渉及び雑音電力とを含む合計の受信電力である。ＲＳＲＱは、ＲＳＳＩに対するＲＳＲＰの比である。
【００２５】
当該所望信号は、同期信号ブロック（ＳＳＢ：Synchronization  Signal  Block）に含まれる信号であってもよい。ＳＳＢは、同期信号（ＳＳ：Synchronization  Signal）及びブロードキャストチャネル（ブロードキャスト信号、ＰＢＣＨ、ＮＲ−ＰＢＣＨなどともいう）を含む信号ブロックであり、ＳＳ／ＰＢＣＨブロックなどと呼ばれてもよい。
【００２６】
ＳＳは、ＰＳＳ（Primary  Synchronization  Signal）、ＳＳＳ（Secondary  Synchronization  Signal）、ＮＲ−ＰＳＳ、ＮＲ−ＳＳＳなどを含んでもよい。ＳＳＢは、１以上のシンボル（例えば、ＯＦＤＭシンボル）によって構成される。ＳＳＢ内では、ＰＳＳ、ＳＳＳ及びＰＢＣＨがそれぞれ異なる１以上のシンボルに配置されてもよい。例えば、ＳＳＢは、１シンボルのＰＳＳ、１シンボルのＳＳＳ、及び２又は３シンボルのＰＢＣＨを含む、計４又は５シンボルによって構成されてもよい。
【００２７】
なお、ＳＳ（又はＳＳＢ）を用いて行われる測定はＳＳ（又はＳＳＢ）測定と呼ばれてもよい。ＳＳ（又はＳＳＢ）測定としては、例えばＳＳ−ＲＳＲＰ、ＳＳ−ＲＳＲＱ、ＳＳ−ＳＩＮＲ測定などが行われてもよい。
【００２８】
ＵＥは、第１の周波数帯（ＦＲ１：Frequency  Range  1）及び第２の周波数帯（ＦＲ２：Frequency  Range  2）の少なくとも１つの周波数帯（キャリア周波数）を用いて通信（信号の送受信、測定など）を行ってもよい。
【００２９】
例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。ＦＲ１は、サブキャリア間隔（ＳＣＳ：Sub-Carrier  Spacing）として１５、３０及び６０ｋＨｚのうちから少なくとも１つが用いられる周波数レンジと定義されてもよいし、ＦＲ２は、ＳＣＳとして６０及び１２０ｋＨｚのうちから少なくとも１つが用いられる周波数レンジと定義されてもよい。なお、ＦＲ１及びＦＲ２の周波数帯、定義などはこれらに限られず、例えばＦＲ１がＦＲ２よりも高い周波数帯であってもよい。
【００３０】
ＦＲ２は、時分割複信（ＴＤＤ：Time  Division  Duplex）バンドのみに用いられてもよい。ＦＲ２は、複数の基地局間において同期運用されることが好ましい。ＦＲ２に複数のキャリアが含まれる場合、これらのキャリアは同期運用されることが好ましい。
【００３１】
ＵＥは、同周波測定及び／又は異周波測定に関する情報を、例えば上位レイヤシグナリング、物理レイヤシグナリング又はこれらの組み合わせを用いて基地局から通知（設定）されてもよい。
【００３２】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００３３】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００３４】
同周波測定及び／又は異周波測定に関する情報は、例えば、測定対象の周波数帯（キャリア）、測定対象のキャリアの同期の有無、測定対象の信号のリソース位置（スロット番号、シンボル番号、ＲＢインデックスなど）、ＳＳＢメジャメントのタイミング設定（ＳＭＴＣ：SSB-based  Measurement  Timing  Configuration）、測定対象のＳＳＢのインデックスなどを含んでもよい。ＳＳＢインデックスは、ＳＳＢのリソース位置に関連付けられてもよい。
【００３５】
なお、測定対象のキャリアの同期の有無は、例えば、測定対象キャリアがサービングセルと同期しているか（隣接セルによって送信されるＳＳＢインデックスをサービングセルのタイミングに基づいて導出できるか）に関する情報（パラメータ「useServingCellTimingForSync」と呼ばれてもよい）を用いてＲＲＣシグナリングによってＵＥに設定されてもよい。
【００３６】
測定対象のＳＳＢのインデックスは、ビットマップ（パラメータ「ssb-ToMeasure」と呼ばれてもよい）によって通知されてもよい。当該ビットマップは、測定対象の周波数帯に関連付けられてもよい。例えば、測定対象の周波数帯が高い周波数帯であるほどより長いビットマップを用いて当該ＳＳＢインデックスが通知されてもよい。
【００３７】
ＳＭＴＣは、ＳＳＢ測定期間（ＳＭＴＣウィンドウ、測定タイミングなどと呼ばれてもよい）の長さ、周期、タイミングオフセットなどを含んでもよい。ＵＥは、設定されたＳＭＴＣウィンドウ内において、測定対象のＳＳＢに基づく測定を実施する。
【００３８】
異周波測定用ＭＧを設定するためのＵＥ能力（UE  capability）シグナリングがサポートされてもよい。当該ＵＥ能力シグナリングとしては、例えばＦＲ１及びＦＲ２のそれぞれの異周波測定用ＭＧを別々に設定できる。
【００３９】
例えば、ＵＥは、ＦＲ１個別、ＦＲ２個別及びＵＥ個別の少なくとも１つに該当するギャップのためのＭＧ長（length又はduration）、ＭＧ繰り返し周期などを含む能力シグナリングを通知してもよい。
【００４０】
ところで、ＬＴＥにおいては、同周波測定（Intra-frequency  measurement）の遅延要件（delay  requirement）について、ＣＡ（Carrier  Aggregation）及びＤＣ（Dual  Connectivity）の少なくとも１つの有無、セカンダリセル（ＳＣｅｌｌ）として設定されたキャリア数を特に考慮していない。
【００４１】
ＬＴＥの同周波測定は、任意のタイミングで行うことができるため、ＵＥが１つ又は少数のセルサーチャ（cell  searcher、セルサーチ機能）しか持っていない（実装されていない）場合であっても、異なるタイミングに異なるＣＣ（Component  Carrier）を測定するようにセルサーチャを使いまわす（共有する、再利用する）ことができる。
【００４２】
ＮＲにおいては、同周波測定を行うタイミング、周期、期間（時間長）の少なくとも１つを示すＳＭＴＣがキャリア（ＣＣ）毎に設定される。
【００４３】
ＵＥの実装コスト等を考えると、ＬＴＥ同様に１つ又は少数のセルサーチャのみを実装し、複数のＣＣに対する測定にセルサーチャを使いまわすことが好ましい。
【００４４】
しかし、複数のＣＣの間においてＳＭＴＣウィンドウが重複するタイミングに設定された場合、１つのセルサーチャを用いて同時に複数のＣＣを測定することができない。したがって、ＳＭＴＣウィンドウが重複した場合の同周波測定の遅延要件が定められることが好ましい。
【００４５】
重複したＳＭＴＣウィンドウを設定された測定対象のＣＣ数に応じて、遅延要件をスケーリングすることが検討されている。例えば、２ＣＣのＣＡ中に周期４０ｍｓのＳＭＴＣウィンドウが完全に重複している場合、ＵＥは、各ＣＣの測定の周期が４０ｍｓではなく８０ｍｓと想定する。
【００４６】
このようにＵＥ及び基地局は、ＳＭＴＣ周期を増加させることによって、遅延要件を緩和することができる。例えば、遅延要件としての遅延時間は、周期×サンプル数で表される。
【００４７】
ＣＡ又はＤＣを行う場合、ＰＣｅｌｌ（プライマリセル）、ＰＳＣｅｌｌ（プライマリセカンダリセル）、ＳＣｅｌｌ（セカンダリセル）に対し、ＰＣｅｌｌ及びＰＳＣｅｌｌの同周波測定がＳＣｅｌｌの同周波測定よりも優先されることが好ましい。そのため、前述のＣＣ数に応じたスケーリングが、ＰＣｅｌｌ及びＰＳＣｅｌｌの少なくとも１つに適用されないことが検討されている。
【００４８】
もし、ＰＣｅｌｌ及びＰＳＣｅｌｌの少なくとも１つにスケーリングを適用しないとすると、ＵＥの実装において、図１に示すように、ＰＣｅｌｌ及びＰＳＣｅｌｌの少なくとも１つに専用のセルサーチャを実装する必要がある。例えば、１つのＰＣｅｌｌ、１つのＰＳＣｅｌｌ、１つのＳＣｅｌｌが設定される場合、３個のセルサーチャが設定される。
【００４９】
この実装によれば、ＰＣｅｌｌ及びＰＳＣｅｌｌの少なくとも１つのＳＭＴＣウィンドウが他のＣＣのＳＭＴＣウィンドウと重複したとしても、ＰＣｅｌｌ及びＰＳＣｅｌｌの少なくとも１つにおいては、ＳＭＴＣによって設定された周期及びタイミングにおいて必ず測定を行うことができる。しかしながら、実装コストが高くなるという問題がある。
【００５０】
そこで、本発明者らは、ＵＥに実装するセルサーチャ数の増加を抑えつつ、モビリティ観点で優先すべきキャリアに対する同周波測定を適切に行うための、ＵＥ動作を着想した。
【００５１】
以下、本開示に係る実施形態について、図面を参照して詳細に説明する。各実施形態に係る無線通信方法は、それぞれ単独で適用されてもよいし、組み合わせて適用されてもよい。
【００５２】
（無線通信方法）
一実施形態においては、ＵＥ及び／又は基地局は、ＣＡ及びＤＣの少なくとも１つを行う場合の同周波測定の遅延要件として、重複するＳＭＴＣウィンドウを持つキャリア数に基づいてスケーリングを行ってもよい。スケーリングにおいて、特定のキャリア（条件を満たすキャリア）は、その他のキャリアと異なる扱いを行うことによって、各キャリアの遅延要件を定義してもよい。
【００５３】
ＵＥ及び無線基地局は、スケーリングのために、各キャリアの設定に基づいてスケーリングファクタ（係数、乗数）を決定してもよい。
【００５４】
ＵＥ及び無線基地局は、特定キャリア（所定条件を満たすキャリア）は、他キャリア（非特定キャリア）と異なる扱いを行い、スケーリングを行う。
【００５５】
特定キャリアは、次のキャリア１〜３の少なくとも１つであってもよい。
【００５６】
・キャリア１：ＰＣｅｌｌとして設定されたキャリア
・キャリア２：ＰＳＣｅｌｌとして設定されたキャリア
・キャリア３：ＮＷ（ネットワーク、基地局、ｇＮＢ、ｅＮＢなど）からスケーリングのために指定されたキャリア
【００５７】
特定キャリアは、ＳｐＣｅｌｌ（Special  Cell）であってもよい。ＳｐＣｅｌｌは、ＤＣにおいてＭＣＧ（Master  Cell  Group）におけるＰＣｅｌｌ又はＳＣＧ（Secondary  Cell  Group）におけるＰＳＣｅｌｌであってもよいし、他の場合のＰＣｅｌｌであってもよい。
【００５８】
特定キャリアの扱いは、次の算出方法１、２の少なくとも１つであってもよい。
【００５９】
算出方法１：スケーリングに用いられるキャリア数のカウントとして、特定キャリアのカウント方法と他キャリアのカウント方法とが異なる。例えば、次のカウント方法１、２の少なくとも１つが用いられてもよい。
【００６０】
カウント方法１：他キャリアのスケーリングにおいて、１つの特定キャリアを１よりも大きい値を用いてカウントする。
【００６１】
カウント方法２：特定キャリアのスケーリングにおいて、１つの特定キャリアを１よりも大きい値を用いてカウントする。
【００６２】
この算出方法１によれば、各キャリアに優先度を与えることができる。
【００６３】
算出方法２：キャリア数を用いるスケーリングファクタではない別のスケーリング変数（スケーリングファクタ）を定義し、適用する。例えば、次のスケーリング変数１、２の少なくとも１つが用いられてもよい。
【００６４】
スケーリング変数１：特定のキャリアのみ、または他キャリアのみにスケーリング変数を適用する。
【００６５】
スケーリング変数２：特定のキャリア及び他キャリアの間においてスケーリング変数の異なる値を適用する。
【００６６】
特定のキャリア及び他キャリアの少なくとも１つに対するスケーリング変数は、上位レイヤシグナリング等によってＮＷから通知されてもよい。この通知によって、ＮＷは、柔軟にスケーリングを設定でき、各キャリアの優先度を設定できる。
【００６７】
周期ＳＭＴＣ＿Ｘを有する１つのキャリアに対するスケーリングファクタＫＳＭＴＣ＿Ｘは、次の式（１）によって導かれてもよい。
【００６８】
【数１】
2019203324.tif 000003
【００６９】
ここで、ＳＭＴＣ＿Ｘは、計算すべきＳＭＴＣ周期である。ＳＭＴＣ＿Ｙは、測定されるキャリアに設定されるＳＭＴＣ周期のうち、ＳＭＴＣ＿Ｘよりも長いＳＭＴＣ周期である。ｍａｘ｛ＳＭＴＣ｝は、測定されるキャリアの全てのうち、最大のＳＭＴＣ周期である。
【００７０】
αは、最大ＳＭＴＣ周期を有するＳＭＴＣウィンドウと重複するＳＭＴＣウィンドウが、を有するキャリアのうち、最大ＳＭＴＣ周期によって設定されるキャリアを除くキャリアの数である。
【００７１】
βは、ＳＭＴＣ＿Ｙよりも小さいＳＭＴＣ周期を有し、ＳＭＴＣ＿Ｙを有するＳＭＴＣウィンドウと重複するＳＭＴＣウィンドウを有するキャリアのうち、ＳＭＴＣ＿Ｙによって設定されるキャリアを除くキャリアの数である。
【００７２】
γは、ＳＭＴＣ＿Ｘよりも小さいＳＭＴＣ周期を有し、ＳＭＴＣ＿Ｘを有するＳＭＴＣウィンドウと重複するＳＭＴＣウィンドウを有するキャリアのうち、ＳＭＴＣ＿Ｘによって設定されるキャリアを除くキャリアの数である。
【００７３】
ＫＳＭＴＣ＿ＹはＳＭＴＣ＿Ｙに対するスケーリングファクタである。
【００７４】
もし複数のキャリア（Ｎｆｒｅｑ＿ＳＭＴＣ＿Ｘ個のキャリア）がＳＭＴＣ＿Ｘ及びオフセットを設定された場合、各キャリアに対するＫＳＭＴＣ＿ＸはＮｆｒｅｑ＿ＳＭＴＣ＿Ｘ倍にスケールされてもよい。
【００７５】
ＫＳＭＴＣ＿Ｘに基づき、ＳＭＴＣ＿Ｘを設定されたキャリアに対する同周波測定の周期及び遅延要件のそれぞれは、ＫＳＭＴＣ＿Ｘ倍にスケールされる。
【００７６】
＜特定キャリアがない場合＞
図２に示すように、ＣＣ＃０、＃１、＃２が設定され、ＣＣ＃０にＳＭＴＣ＿Ａ＝２０ｍｓが設定され、ＣＣ＃１にＳＭＴＣ＿Ｂ＝４０ｍｓが設定され、ＣＣ＃２にＳＭＴＣ＿Ｃ＝８０ｍｓが設定される場合について説明する。
【００７７】
ＫＳＭＴＣ＿ＸとしてＣＣ＃２のＫＳＭＴＣ＿Ｃを決定する場合、各パラメータは次のようになる。
α＝γ＝２、β＝０
ｍａｘ｛ＳＭＴＣ｝＝８０
Ｎｆｒｅｑ＿ＳＭＴＣ＿Ｃ＝１
【００７８】
この場合、式（１）は次の式（２）になる。
【００７９】
【数２】
2019203324.tif 000004
【００８０】
ＵＥは、ＫＳＭＴＣ＿Ｃ＝３に基づき、３回のＳＭＴＣウィンドウに１回の割合で、ＣＣ＃２を測定してもよい。
【００８１】
ＫＳＭＴＣ＿ＸとしてＣＣ＃１のＫＳＭＴＣ＿Ｂを決定する場合、各パラメータは次のようになる。
α＝２、γ＝１、β＝２
ｍａｘ｛ＳＭＴＣ｝＝８０
Ｎｆｒｅｑ＿ＳＭＴＣ＿Ｂ＝１
【００８２】
この場合、式（１）は次の式（３）になる。
【００８３】
【数３】
2019203324.tif 000005
【００８４】
ＵＥは、ＫＳＭＴＣ＿Ｂ＝３に基づき、３回のＳＭＴＣウィンドウに１回の割合で、ＣＣ＃１を測定してもよい。
【００８５】
ＫＳＭＴＣ＿ＸとしてＣＣ＃０のＫＳＭＴＣ＿Ａを決定する場合、各パラメータは次のようになる。
α＝２、γ＝１
β＝２（ＳＭＴＣ＿Ｃに設定されたキャリアに対するβ）
β＝１（ＳＭＴＣ＿Ｂに設定されたキャリアに対するβ）
ｍａｘ｛ＳＭＴＣ｝＝８０
Ｎｆｒｅｑ＿ＳＭＴＣ＿Ａ＝１
【００８６】
この場合、式（１）は次の式（４）になる。
【００８７】
【数４】
2019203324.tif 000006
【００８８】
ＵＥは、ＫＳＭＴＣ＿Ａ＝４／３に基づき、４回のＳＭＴＣウィンドウに３回の割合で、ＣＣ＃０を測定してもよい。
【００８９】
＜特定キャリアがある場合＞
他キャリアのスケーリングファクタのためのα、β、γの導出において、１つの特定キャリア（例えば、ＰＣｅｌｌ）に対して１よりも大きい重み（所定数、係数、増分、ステップ、例えば、２）をカウントしてもよい。
【００９０】
特定キャリアのスケーリングファクタの導出において、α、β、γの導出においては１つの他キャリアに対して１をカウントし、得られたスケーリングファクタを上記の所定数で割ってもよい。
【００９１】
ＰＣｅｌｌの重み及びＰＳＣｅｌｌの重みは同じであってもよい。ＰＣｅｌｌの重みは、ＰＳＣｅｌｌの重みよりも大きくてもよい。
【００９２】
特定キャリアの重みが、上位レイヤシグナリング等によってＮＷから指示されてもよい。
【００９３】
図３に示すように、ＣＣ＃０、＃１、＃２、＃３が設定され、ＣＣ＃０、＃３にＳＭＴＣ＿Ａ＝２０ｍｓが設定され、ＣＣ＃１にＳＭＴＣ＿Ｂ＝４０ｍｓが設定され、ＣＣ＃２、＃３にＳＭＴＣ＿Ｃ＝８０ｍｓが設定され、ＣＣ＃２、＃３にＳＭＴＣの異なるオフセットが設定される場合について説明する。ここで、ＣＣ＃０が特定キャリアに設定されるとする。
【００９４】
ＫＳＭＴＣ＿ＸとしてＣＣ＃２（他キャリア）のＫＳＭＴＣ＿Ｃを決定する場合、各パラメータは次のようになる。
α＝γ＝３、β＝０
ｍａｘ｛ＳＭＴＣ｝＝８０
Ｎｆｒｅｑ＿ＳＭＴＣ＿Ｃ＝１
【００９５】
この場合、式（１）は次の式（５）になる。
【００９６】
【数５】
2019203324.tif 000007
【００９７】
ＵＥは、ＫＳＭＴＣ＿Ｃ＝３に基づき、４回のＳＭＴＣウィンドウに１回の割合で、ＣＣ＃２を測定してもよい。
【００９８】
ＫＳＭＴＣ＿ＸとしてＣＣ＃１のＫＳＭＴＣ＿Ｂを決定する場合、各パラメータは次のようになる。
α＝３、γ＝２、β＝３
ｍａｘ｛ＳＭＴＣ｝＝８０
Ｎｆｒｅｑ＿ＳＭＴＣ＿Ｂ＝１
【００９９】
この場合、式（１）は次の式（６）になる。
【０１００】
【数６】
2019203324.tif 000008
【０１０１】
ＵＥは、ＫＳＭＴＣ＿Ｂ＝４に基づき、４回のＳＭＴＣウィンドウに１回の割合で、ＣＣ＃１を測定してもよい。
【０１０２】
ＫＳＭＴＣ＿ＸとしてＣＣ＃０、＃３のＫＳＭＴＣ＿Ａを決定する場合、各パラメータは次のようになる。
α＝３、γ＝０
β＝３（ＳＭＴＣ＿Ｃに設定されたキャリアに対するβ）
β＝２（ＳＭＴＣ＿Ｂに設定されたキャリアに対するβ）
ｍａｘ｛ＳＭＴＣ｝＝８０
Ｎｆｒｅｑ＿ＳＭＴＣ＿Ａ＝２
【０１０３】
この場合、式（１）は次の式（７）になる。
【０１０４】
【数７】
2019203324.tif 000009
【０１０５】
更に、Ｎｆｒｅｑ＿ＳＭＴＣ＿Ａ＞１であるため、ＫＳＭＴＣ＿ＡがＮｆｒｅｑ＿ＳＭＴＣ＿Ａ倍にスケールされてもよい。更に、ＣＣ＃０が特定キャリアであるため、ＫＳＭＴＣ＿Ａが１／Ｎｆｒｅｑ＿ＳＭＴＣ＿Ａ倍にスケールされてもよい。この場合、ＫＳＭＴＣ＿Ａは、次の式（８）によって表される。
【０１０６】
【数８】
2019203324.tif 000010
【０１０７】
ＵＥは、ＫＳＭＴＣ＿Ｃ＝１６／１３に基づき、１６回のＳＭＴＣウィンドウに１３回の割合で、ＣＣ＃１を測定してもよい。
【０１０８】
このように遅延要件が決定されることにより、特定キャリアを優先して同周波測定を行うことができる。
【０１０９】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１１０】
図４は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１１１】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１１２】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１１３】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１１４】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１１５】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１１６】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１１７】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１１８】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１１９】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１２０】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１２１】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１２２】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１２３】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１２４】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１２５】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１２６】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１２７】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１２８】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２９】
（無線基地局）
図５は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１３０】
下りリンクによって無線基地局１０からユーザ端末２０に送信されるユーザデータは、上位局装置３０から伝送路インターフェース１０６を介してベースバンド信号処理部１０４に入力される。
【０１３１】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１３２】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１３３】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１３４】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１３５】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３６】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ１０１は、例えばアレーアンテナによって構成してもよい。
【０１３７】
送受信部１０３は、ＳＭＴＣが設定されるキャリアに含まれるセルにおいて、データを送信及び／又は受信する。送受信部１０３は、同周波測定及び／又は異周波測定に関する情報などを、ユーザ端末２０に対して送信してもよい。
【０１３８】
図６は、本開示の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１３９】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１４０】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１４１】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１４２】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１４３】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１４４】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１４５】
制御部３０１は、ベースバンド信号処理部１０４におけるデジタルＢＦ（例えば、プリコーディング）及び／又は送受信部１０３におけるアナログＢＦ（例えば、位相回転）を用いて、送信ビーム及び／又は受信ビームを形成する制御を行ってもよい。制御部３０１は、下り伝搬路情報、上り伝搬路情報などに基づいて、ビームを形成する制御を行ってもよい。これらの伝搬路情報は、受信信号処理部３０４及び／又は測定部３０５から取得されてもよい。
【０１４６】
また、制御部３０１は、複数のキャリアのそれぞれの同周波測定を設定してもよい。制御部３０１は、各同周波測定に対して測定タイミングの周期を設定し、前記複数のキャリアのそれぞれに対する設定に基づいて前記周期のスケーリングを行ってもよい。前記スケーリングにおいて前記複数のキャリアのうち特定キャリアに対する処理が非特定キャリアに対する処理と異なってもよい。
【０１４７】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１４８】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１４９】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１５０】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１５１】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１５２】
測定部３０５は、受信した信号に関する測定を実施する。測定部３０５は、本開示に係る技術分野での共通認識に基づいて説明される測定器、測定回路又は測定装置から構成することができる。
【０１５３】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１５４】
（ユーザ端末）
図７は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１５５】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５６】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１５７】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１５８】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５９】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ２０１は、例えばアレーアンテナによって構成してもよい。
【０１６０】
送受信部２０３は、ＳＭＴＣが設定されるキャリアに含まれるセルにおいて、データを送信及び／又は受信する。送受信部２０３は、同周波測定及び／又は異周波測定に関する情報などを、無線基地局１０から受信してもよい。
【０１６１】
図８は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１６２】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１６３】
制御部４０１は、ユーザ端末２０全体の制御を実施する。制御部４０１は、本開示に係る技術分野での共通認識に基づいて説明されるコントローラ、制御回路又は制御装置から構成することができる。
【０１６４】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１６５】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１６６】
制御部４０１は、ベースバンド信号処理部２０４におけるデジタルＢＦ（例えば、プリコーディング）及び／又は送受信部２０３におけるアナログＢＦ（例えば、位相回転）を用いて、送信ビーム及び／又は受信ビームを形成する制御を行ってもよい。制御部４０１は、下り伝搬路情報、上り伝搬路情報などに基づいて、ビームを形成する制御を行ってもよい。これらの伝搬路情報は、受信信号処理部４０４及び／又は測定部４０５から取得されてもよい。
【０１６７】
また、制御部４０１は、複数のキャリア（例えば、ＣＣ）のそれぞれの同周波測定を制御してもよい。各同周波測定に対して測定タイミング（例えば、ＳＭＴＣウィンドウ）の周期が設定されてもよい。制御部４０１は、前記複数のキャリアのそれぞれに対する設定に基づいて前記周期のスケーリングを行ってもよい。前記スケーリングにおいて前記複数のキャリアのうち特定キャリアに対する処理が非特定キャリアに対する処理と異なってもよい。
【０１６８】
また、制御部４０１は、測定タイミングが重複するキャリア数（例えば、α、β、γの少なくとも１つ）に基づいて前記周期のスケーリングの係数を決定してもよい。
【０１６９】
また、制御部４０１は、前記非特定キャリアの係数の決定のためのキャリア数のカウントにおいて、前記特定キャリアを１よりも大きい数によってカウントすることと、前記特定キャリアの係数の決定のためのキャリア数のカウントにおいて、前記非特定キャリアを１よりも小さい数によってカウントすることと、の少なくとも１つを行ってもよい。
【０１７０】
また、前記特定キャリア及び前記非特定キャリアの少なくとも１つのキャリアのための変数が設定され、制御部４０１は、前記変数に基づいて前記周期のスケーリングを行ってもよい。
【０１７１】
特定キャリアは、プライマリセル、プライマリセカンダリセル、無線基地局１０から設定されたセル、の少なくとも１つであってもよい。
【０１７２】
また、制御部４０１は、無線基地局１０から通知された各種情報を受信信号処理部４０４から取得した場合、当該情報に基づいて制御に用いるパラメータを更新してもよい。
【０１７３】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１７４】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１７５】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１７６】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１７７】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１７８】
測定部４０５は、受信した信号に関する測定を実施する。例えば、測定部４０５は、第１のキャリア及び第２のキャリアの一方又は両方について、ＳＳＢを用いた同周波測定及び／又は異周波測定を行ってもよい。測定部４０５は、本開示に係る技術分野での共通認識に基づいて説明される測定器、測定回路又は測定装置から構成することができる。
【０１７９】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１８０】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０１８１】
例えば、本開示の一実施形態における無線基地局、ユーザ端末などは、本開示の無線通信方法の処理を行うコンピュータとして機能してもよい。図９は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１８３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１８４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１８５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１８６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１８７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１８８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１９０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１９１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１９２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１９３】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１９４】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１９５】
ここで、ニューメロロジーとは、ある信号又はチャネルの送信及び受信の少なくとも一方に適用される通信パラメータであってもよい。例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１９６】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１９７】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルで構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１９８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１９９】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２００】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０１】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２０２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２０３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２０４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２０５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。
【０２０６】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。
【０２０７】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２０９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１１】
本開示においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２１４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２１５】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２１６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２１７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２２１】
本開示において使用する「システム」及び「ネットワーク」という用語は、互換的に使用され得る。
【０２２２】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（ＢＷＰ：Bandwidth  Part）」などの用語は、互換的に使用され得る。基地局は、マクロセル、スモールセル、フェムトセル、ピコセルなどの用語で呼ばれる場合もある。
【０２２３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２２４】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２２５】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２２６】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０２２７】
また、本開示における無線基地局は、ユーザ端末で読み替えてもよい。例えば、無線基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の無線基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２２８】
同様に、本開示におけるユーザ端末は、無線基地局で読み替えてもよい。この場合、上述のユーザ端末２０が有する機能を無線基地局１０が有する構成としてもよい。
【０２２９】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３０】
本開示において説明した各態様／実施形態は単独で用いてもよいし、組み合わせて用いてもよいし、実行に伴って切り替えて用いてもよい。また、本開示で説明した各態様／実施形態の処理手順、シーケンス、フローチャートなどは、矛盾の無い限り、順序を入れ替えてもよい。例えば、本開示で説明した方法については、例示的な順序で様々なステップの要素を提示しており、提示した特定の順序に限定されない。
【０２３１】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２３２】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３３】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２３４】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０２３５】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２３６】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３７】
また、「判断（決定）」は、「想定する（assuming）」、「期待する（expecting）」、「みなす（considering）」などで読み替えられてもよい。
【０２３８】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２３９】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２４０】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２４１】
本開示において、「ＡとＢが異なる」という用語は、「ＡとＢが互いに異なる」ことを意味してもよい。「離れる」、「結合される」などの用語も同様に解釈されてもよい。
【０２４２】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２４３】
本開示において、例えば、英語でのa,  an及びtheのように、翻訳によって冠詞が追加された場合、本開示は、これらの冠詞の後に続く名詞が複数形であることを含んでもよい。
【０２４４】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【０２４５】
本出願は、２０１８年４月１８日出願の特願２０１８−０９０９６４に基づく。この内容は、全てここに含めておく。
【図１】
2019203324.tif 000011
【図２】
2019203324.tif 000012
【図３】
2019203324.tif 000013
【図４】
2019203324.tif 000014
【図５】
2019203324.tif 000015
【図６】
2019203324.tif 000016
【図７】
2019203324.tif 000017
【図８】
2019203324.tif 000018
【図９】
2019203324.tif 000019
【国際調査報告】
2019203324.tif 000020
2019203324.tif 000021
2019203324.tif 000022
2019203324.tif 000023